(57)【要約】【課題】本発明は貯水している水を気化させる加湿機に関するもので、水槽内の水の排水作業を容易にすることができるものである。【解決手段】そしてこの目的を達成するために本発明は、吸気口１と排気口２とを有する本体ケース３内で、吸気口１から排気口２に送風される送風路に送風手段４と加湿手段５とを設け、この加湿手段５の下部には水槽７を設け、この水槽７に常に所定水位まで給水する着脱可能な給水タンク８を備え、水槽７の下部に着脱可能な排水タンク９を設け、この排水タンク９は開口部１０を備え、水槽７には、開閉手段１１を設け、この開閉手段１１を開くことにより水槽７内の水は、開口部１０を介して排水タンク９内へ排水されることを特徴とする。【選択図】図１
2012145239.tif 000002
【特許請求の範囲】
【請求項１】
吸気口と排気口とを有する本体ケースと、この本体ケース内で、前記吸気口から前記排気口に送風される送風路に送風手段と加湿手段とを設け、この加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には、開閉手段を設け、この開閉手段を開くことにより前記水槽内の水は、前記開口部を介して前記排水タンク内へ排水されることを特徴とする加湿機。
【請求項２】
前記排水タンクを前記本体ケースに装着した状態から前記排水タンクを取り外す方向に所定の距離を移動させると、前記開閉手段が、開くことを特徴とする請求項１に記載の加湿機。
【請求項３】
前記排水タンクに移動停止手段を設け、この移動停止手段は、前記排水タンクを前記本体ケースに装着した状態から取り外す方向に所定の距離前記排水タンクを移動させると、前記排水タンクの移動を止めると共に前記開閉手段を開くことを特徴とする請求項１または２に記載の加湿機。
【請求項４】
前記排水タンクを取り外す方向に所定の距離を移動させ、前記開閉手段が開いた状態から前記移動停止手段を解除すると、前記開閉手段が閉まると共に前記排水タンクを前記本体ケースから取り外すことができることを特徴とする請求項３に記載の加湿機。
【請求項５】
前記排水タンクを前記本体ケースから取り外した状態から前記本体ケースに装着する間、前記開閉手段は、常に閉まることを特徴とする請求項１〜４のいずれかに記載の加湿機。
【請求項６】
前記給水タンクは、排水タンク取外し防止手段を備え、この排水タンク取外し防止手段は、前記給水タンクが前記本体ケースから取り外されると解除され、前記排水タンクを取り外すことができることを特徴とする請求項１〜５のいずれかに記載の加湿機。
【発明の詳細な説明】
【技術分野】
【０００１】
本発明は、排水タンクを備えた加湿機に関する。
【背景技術】
【０００２】
従来のこの種の加湿機の構成は以下のようになっていた。
【０００３】
すなわち、吸気口と排気口とを有する本体ケースと、この本体ケース内で、前記吸気口から前記排気口に送風される送風路に送風手段と加湿手段とを設け、この加湿手段の下部には水槽を設け、この水槽に常に所定水位まで給水する着脱可能な給水タンクを備え、前記水槽の下部に着脱可能な排水タンクを設けた構成となっていた（例えば、これに類似する先行文献は下記特許文献１に記載されている）。
【先行技術文献】
【特許文献】
【０００４】
【特許文献１】特開２００４−９３１０８号公報
【発明の概要】
【発明が解決しようとする課題】
【０００５】
上記従来例における課題は、水槽内の水の排水作業が面倒であった。
【０００６】
すなわち、従来の物においては、長期間加湿機を使用すると、水槽内にはスケールを含んだスケール水が生成される。このスケール水によって、加湿手段にスケールが付着し、加湿能力が低下するものであった。そこで、従来はこの水槽内のスケール水を排水する為に、水槽を本体ケースから着脱自在な構成とし、この水槽を排水設備まで運び、排水するものであった。ところが、水槽には、加湿フィルター等が装着されており、かさばるので、水槽を排水設備まで運ぶのが面倒であった。
【０００７】
そこで、本発明は、水槽内の水の排水作業を容易にすることを目的とするものである。
【課題を解決するための手段】
【０００８】
そしてこの目的を達成するために本発明は、吸気口と排気口とを有する本体ケースと、この本体ケース内で、前記吸気口から前記排気口に送風される送風路に送風手段と加湿手段とを設け、この加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には、開閉手段を設け、この開閉手段を開くことにより前記水槽内の水は、前記開口部を介して前記排水タンク内へ排水されることを特徴とするものである。
【０００９】
これにより、初期の目的を達成するものである。
【発明の効果】
【００１０】
以上のように本発明は、吸気口と排気口とを有する本体ケースと、この本体ケース内で、前記吸気口から前記排気口に送風される送風路に送風手段と加湿手段とを設け、この加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には、開閉手段を設け、この開閉手段を開くことにより前記水槽内の水は、前記開口部を介して前記排水タンク内へ排水されることを特徴とするものであり、水槽内の水の排水作業を容易にすることができるものである。
【００１１】
すなわち、水槽の下部に着脱可能な排水タンクを設け、この排水タンクは開口部を備え、水槽には、開閉手段を設けたので、この開閉手段を開くことにより水槽内の水は、開口部を介して排水タンク内へ排水されるものである。
【００１２】
これにより、水槽に溜まったスケール水を排水する為に、加湿フィルター等が装着された水槽を、本体ケースから外し排水設備まで運ぶ代わりに、スケール水の入った排水タンクのみを、本体ケースから外し排水設備まで運ぶことにより、水槽内の水の排水作業ができるようになり、結論として、水槽内の水の排水作業を容易にすることができるものである。
【図面の簡単な説明】
【００１３】
【図１】本発明の実施の形態１の加湿機の概略図
【図２】同加湿機の概略断面を示す図
【図３】同加湿機の排水機構を示す概略図
【発明を実施するための形態】
【００１４】
以下、本実施形態を添付図面を用いて説明する。
【００１５】
（実施の形態１）
図１および図２に示すように、本実施形態の加湿装置は、吸気口１と排気口２を有する本体ケース３と、この本体ケース３内で吸気口１から排気口２に送風される送風路に、送風手段４と加湿手段５とを備えている。
【００１６】
本体ケース３は略立方体形状で、背面側の側面に略横長四角形状の吸気口１を設け、天面の背面側に略横長四角形状の排気口２を備えている。
【００１７】
加湿手段５は、円筒形状の加湿フィルター６と、この加湿フィルター６を回転させる回転手段（図示せず）とから形成している。加湿手段５の下部には、一定量の水が入った水槽７を設けている。この水槽７の水に、加湿フィルター６の周縁の一部が浸漬されたものである。
【００１８】
水槽７は天面が開口した略箱形状で、本体ケース３の下部に本体ケース３の背面側から引き出せるように摺動可能に設けられ、加湿フィルター６を装着する加湿フィルター装着部と、給水タンクを装着する給水タンク装着部とを備えている。給水タンク装着部には、水槽に所定水位まで一定量の水を供給する給水タンク８が装着される。この給水タンク８は、給水タンク装着部に着脱可能である。加湿フィルター装着部は水槽の背面側に設けられ、給水タンク装着部は水槽７の前面側に設けられている。
【００１９】
加湿フィルター６は円筒形状で、水槽の加湿フィルター装着部に回転可能で、回転軸方向が水平方向となるように装着されている。加湿フィルター６の円形状の側面部の片側に歯車を設け、この歯車に回転手段である電動機の回転力が伝わり、加湿フィルター６が回転するものである。
【００２０】
このような構成において、送風手段４によって、本体ケース３の吸気口１から吸込まれた室内の空気が、加湿フィルター６を通過する。この加湿フィルター６で加湿された空気を、本体ケース３の排気口２から室内へ排気するものである。
【００２１】
本実施形態における特徴は、水槽７の下部に着脱可能な排水タンク９を設け、この排水タンク９は開口部１０を備え、水槽７には、開閉手段１１を設け、この開閉手段１１を開くことにより水槽７内の水は、開口部１０を介して排水タンク９内へ排水される点である。
【００２２】
すなわち、水槽７の下部に着脱可能な排水タンク９を設け、この排水タンク９は開口部１０を備え、水槽７には、開閉手段１１を設けたので、この開閉手段１１を開くことにより水槽７内の水は、開口部１０を介して排水タンク９内へ排水されるものである。これにより、水槽７に溜まったスケール水を排水する為に、加湿フィルター６等が装着された水槽７を、本体ケース３から外し排水設備まで運ぶ代わりに、スケール水の入った排水タンク９のみを、本体ケース３から外し排水設備まで運ぶことにより、水槽７内の水の排水作業ができるようになり、結論として、水槽７内の水の排水作業を容易にすることができるものである。
【００２３】
また、排水タンク９を本体ケース３に装着した状態から、排水タンク９を取り外す方向に所定の距離を移動させると、開閉手段１１が、開くものである。すなわち、水槽７の下部に位置する排水タンク９が、水槽７の開閉手段１１を開くスイッチの役目を成すものである。これにより、水槽７の開閉手段１１を開く場合には、必ず水槽７の下部に排水タンク９が位置するので、排水タンク９を水槽７の下部に装着することを忘れ、水槽７内の水を開閉手段１１から排水することを防止できるものである。すなわち、使用者が水槽７内の残水処理を目的とした作業の一環として排水タンク９への貯水動作が行えるため、確実に貯水の処理が行える。
【００２４】
具体的には、排水タンク９に移動停止手段１２を設け、この移動停止手段１２は、排水タンク９を本体ケース３に装着した状態から取り外す方向に所定の距離、排水タンク９を移動させると、排水タンク９の移動を止めると共に開閉手段１１を開くものである。
【００２５】
この点について詳細に説明すると、図２および図３に示すように、水槽７は、上面が開口した略箱形状である。この水槽７は、底面の中央部に、下方向へ突出した略直方体形状の溝部１３を備えている。この溝部１３に、開閉手段１１を設けている。この開閉手段１１は、溝部１３に設けた開口部１４と、この開口部１４に設けた開閉弁部１５によって形成されている。
【００２６】
開口部１４は、溝部１３の本体ケース３における背面側の垂直面に設けた円形状の開口であり、この開口部１４の中央には、略環形状の支持部１６を備えている。この支持部１６を介して、水平方向に摺動自在に開閉弁部１５を備えている。
【００２７】
開閉弁部１５は、支持部１６を介して、水平方向に摺動自在に略円柱形状の弁軸部１７と、この弁軸部の両端に位置する弁部１８とばね止め部１９と、これら弁部１８とばね止め部１９との間に設けたばね２０により形成している。弁軸部１７は、略棒状で、略環形状の支持部１６内を介して、水平方向に摺動自在に設けている。この弁軸部１７は、弁軸部１７の水槽７の溝部１３内側である一端には、開口部１４より大なる円形状の弁部１８を設け、弁軸部１７の水槽の溝部１３外側である他端には、略円板形状のばね止め部１９を備えている。このばね止め部１９と開口部１４の支持部１６との間の弁軸部１７の周囲には、螺旋形状のばね２０を備えている。このばね２０のテンションによって、ばね止め部１９と開口部１４の支持部１６との距離を長くするものである。これにより、弁部１８と開口部１４の支持部１６との距離が短くなり、開口部１４へ弁部１８を押し付けることで開口部１４を閉じる、閉動作を行なうものである。また、水槽７内の水圧は、開口部１４へ弁部１８を押し付けることで開口部１４を閉じる、閉動作を行なう方向に力が働くため、ばね２０の力不足による水漏れなどの不具合を防止できる。また、水槽７内の水圧を弁部１８の閉方向の力として利用できるため、ばね２０のテンションを軽くする事ができ、ひいては材料代の軽減、操作部の操作力の低減が出来、安価で容易な操作が出来る。また、反対に、ばね止め部１９を、水槽７の溝部１３内側方向へ押すことによって、ばね止め部１９と開口部１４の支持部１６との距離は短くなる。これにより、弁部１８と開口部１４の支持部１６との距離が長くなり、弁部１８を開口部１４から離れることで開口部１４が開く、開動作を行なうものである。
【００２８】
また、排水タンク９は、略箱形状であり、本体ケース３における前後方向に移動可能に本体ケース３に設け、排水タンク９の前面には、排水タンク９前面から上方に延びた取っ手部２１を備えている。この取っ手部２１の上部には、空間を備えており、この空間から取っ手部２１に指を掛け、本体ケース３における前面側、つまり手前に引くと、本体ケース３から排水タンク９を引き出すことができる。
【００２９】
排水タンク９の天面には、孔である開口部１０を備え、排水タンク９の側面部には、移動停止手段１２を備えている。この移動停止手段１２は、排水タンク９の側面部の中央部に設けた回転支軸部２２と、この回転支軸部２２を中心に回転する略円柱形状の操作部２３と、この操作部２３の両端に位置するレバー部２４と当接部２５とから形成している。回転支軸部２２は、排水タンク９の本体ケース３における左右のどちらか一方の側面中央部から外方に延び、排水タンク９の側面と平行な面上に、本体ケース３における前後方向に延びた操作部２３を回転自在に備えている。この操作部２３は、本体ケース３における前面側の端部には、操作部２３から本体ケース３における左右方向に延びた略円柱形状のレバー部２４を備え、本体ケース３における背面側の端部には、操作部２３から本体ケース３における左右方向に延びた略円柱形状の当接部２５を備えている。そして、操作部２３が、水平に位置する場合には、レバー部２４は、排水タンク９の前面より前側に位置し、当接部２５は、排水タンク９の天面より上側に位置するものである。ここで、回転支軸部２２にばね（図示せず）を設け、このばねのテンションによって操作部２３が回転することにより、レバー部２４は下方に回転し、排水タンク９の前面に当接する。これにより、当接部２５は、レバー部２４より上方に回転すると共に、水槽７の溝部１３に設けた開閉弁部１５の弁軸部１７の高さに位置するものである。
【００３０】
上記構成において、使用者が排水作業を行う手順を説明すると、給水タンク８を水槽７より取り外してから、排水タンク９を本体ケース３における前方向に水平移動させると、まず、当接部２５は弁軸部１７端部のばね止め部１９に当接し、更に、本体ケース３における前方向に水平移動させると、ばね２０が縮むことによって、ばね止め部１９、弁軸部１７および弁部１８とが共に移動し、溝部１３の垂直面部に接することでそれより先への移動が不能となり停止する。この状態で、排水タンク９の天面の開口部１０は、水槽７の開口部１４の真下に位置するものである。この動作によって、弁部１８と開口部１４との間に隙間が生じることより開閉弁部１５は開状態となり、水槽７内の水は、この隙間から下方に位置する開口部１４を介して排水タンク９の内部へ流れ込むものである。
【００３１】
すなわち、これにより、水槽７の開閉手段１１を開く場合には、必ず排水タンクの天面の開口部１０は、水槽７の開口部１４の真下に位置するので、水槽７内の水を、水槽７の開閉手段１１から排水タンク９の天面の開口部１０を介して、排水タンク９内へ排水することができるものである。また、開閉弁部１５と開口部１０の位置関係の決定と開閉弁部１５の開動作という２動作が１動作になるため使用者の作業効率の向上が図れる。
【００３２】
また、排水タンク９を取り外す方向に所定の距離を移動させ、開閉手段１１が開いた状態から移動停止手段１２を解除すると、開閉手段１１が閉まると共に排水タンク９を本体ケース３から取り外すことができるものである。
【００３３】
具体的には、開閉手段１１が開いた状態から移動停止手段１２であるレバー部２４を上方へ移動させることにより、当接部２５が下方に移動し、当接部２５がばね止め部１９から外れる。これにより、移動停止手段１２が解除されるものである。そして、当接部２５がばね止め部１９から外れることにより、ばね２０のテンションによって、開口部１４へ弁部１８を押し付けることで開口部１４を閉じる、閉動作を行なうものである。更に、レバー部２４を上方へ移動させると、当接部２５が排水タンク９の上面に当接する。この状態では、当接部２５は溝部１３より下部に位置するので、排水タンク９を、本体ケース３における前方向に水平移動させることにより、当接部２５が溝部１３の下方を通過して本体ケース３から排水タンクを取り外すことができる。
【００３４】
また、排水タンク９を本体ケース３から取り外した状態から本体ケース３に装着する間、開閉手段１１は、常に閉まるものである。
【００３５】
具体的には、使用者が排水作業完了後の排水タンクの装着手順として、取り外した排水タンク９を本体ケース３内へ取り付ける。この時に排水タンク９を取り外し方法と逆の手順で本体ケース３内へ挿入した際に、当接部２５は溝部１３の下面に沿って挿入される。これより、当接部２５がばね止め部１９を本体ケース３における前面側方向へ押し込み、開閉弁部１５が開くことがないため、排水タンク９の装着作業中に何らかの理由で水槽７に残った水が漏水することを防止することができる。
【００３６】
また、給水タンク８は、排水タンク取外し防止手段２６を備え、この排水タンク取外し防止手段２６は、給水タンク８が本体ケース３から取り外されると解除され、排水タンク９を取り外すことができるものである。すなわち、排水タンク９の前面の全てもしくは一部を覆うカバー部２７を給水タンク８の前方側面に備えた構成となっている。
【００３７】
具体的には、排水タンク取外し防止手段２６は、給水タンク８の本体ケース３における前面側下部から下方に延びた略平板形状のカバー部２７である。このカバー部２７は、排水タンク９を本体ケースに装着時には、排水タンク９の前面側まで延びているものである。ここで、排水タンク９を本体ケース３における前方向に水平移動させると、排水タンク９はカバー部２７に当たり引き出せないものである。
【００３８】
すなわち、本体ケース３内に排水タンク９および給水タンク８を装着された状態で、使用者が誤使用により排水作業を行おうとした時に、排水タンク９の前面が給水タンク８に備えたカバー部２７で覆われているため、排水タンク９の取り外しができない。このため、水槽７の貯水が排水タンク９内へ流入すると共に減少した水位の補完として給水タンク８内の水が水槽７内へ給水されることを繰り返し、その結果、給水タンク８内の水が水槽７を介して排水タンク９内へ流入して、オーバーフローとなり床面を汚染することを防止することができる。
【００３９】
また、排水タンク９の容積は、水槽７内の水の容積より大きいものである。更に、水槽７内の水を複数回、排水タンク９内へ排水できるものである。これにより、排水タンク９に水槽７内の貯水を複数修理の回数分を溜めることで、排水タンク９の搬送回数を減らして、使用者の排水タンク９の排水設備での処理作業の軽減化が図れる。
【産業上の利用可能性】
【００４０】
以上のように本発明は、吸気口と排気口とを有する本体ケースと、この本体ケース内で、前記吸気口から前記排気口に送風される送風路に送風手段と加湿手段とを設け、この加湿手段の下部には水槽を設け、この水槽に常に所定水位まで給水する着脱可能な給水タンクを備え、前記水槽の下部に着脱可能な排水タンクを設け、この排水タンクは開口部を備え、前記水槽には、開閉手段を設け、この開閉手段を開くことにより前記水槽内の水は、前記開口部を介して前記排水タンク内へ排水されることを特徴とするものであり、水槽内の水の排水作業を容易にすることができるものである。
【００４１】
すなわち、水槽の下部に着脱可能な排水タンクを設け、この排水タンクは開口部を備え、水槽には、開閉手段を設けたので、この開閉手段を開くことにより水槽内の水は、開口部を介して排水タンク内へ排水されるものである。
【００４２】
これにより、水槽に溜まったスケール水を排水する為に、加湿フィルター等が装着された水槽を、本体ケースから外し排水設備まで運ぶ代わりに、スケール水の入った排水タンクのみを、本体ケースから外し排水設備まで運ぶことにより、水槽内の水の排水作業ができるようになり、結論として、水槽内の水の排水作業を容易にすることができるものである。
【００４３】
従って、家庭用や事務所用などの、加湿機として活用が期待されるものである。
【符号の説明】
【００４４】
１    吸気口
２    排気口
３    本体ケース
４    送風手段
５    加湿手段
６    加湿フィルター
７    水槽
８    給水タンク
９    排水タンク
１０  開口部
１１  開閉手段
１２  移動停止手段
１３  溝部
１４  開口部
１５  開閉弁部
１６  支持部
１７  弁軸部
１８  弁部
１９  ばね止め部
２０  ばね
２１  取っ手部
２２  回転支軸部
２３  操作部
２４  レバー部
２５  当接部
２６  排水タンク取外し防止手段
２７  カバー部
【図１】
2012145239.tif 000003
【図２】
2012145239.tif 000004
【図３】
2012145239.tif 000005